(57)【要約】【課題】どちらの手に持っても操作性に差異がでない携帯型無線機を提供することを目的とする。【解決手段】本発明に係る携帯型無線機３０１は、スピーカ１１やマイクロフォン１２が配置された表部分１６及び表部分１６の外周に接する側面部分１７を持つ筐体１０と、筐体１０の表部分１６を正面としたときに左右対称になるように側面部分（１７Ｂ、１７Ｄ）に配置され、オン状態で無線信号を送信し、オフ状態で無線信号を受信又は受信待機するＰＴＴ機能を有するボタン１３と、いずれか一方のボタン１３の前記ＰＴＴ機能を選択的に有効にするスイッチ（不図示）と、を備える。【選択図】図１
2012028958.tif 000002
【特許請求の範囲】
【請求項１】
スピーカ又はマイクロフォンが配置された表部分及び前記表部分の外周に接する側面部分を持つ筐体と、
前記筐体の前記表部分を正面としたときに左右対称になるように前記側面部分に配置され、オン状態で無線信号を送信し、オフ状態で無線信号を受信又は受信待機するＰＴＴ機能を有するボタンと、
いずれか一方の前記ボタンの前記ＰＴＴ機能を選択的に有効にするスイッチと、
を備える携帯型無線機。
【請求項２】
前記スイッチで前記ＰＴＴ機能が無効となった前記ボタンは、他の機能が割り当てられることを特徴とする請求項１に記載の携帯型無線機。
【請求項３】
前記ボタン間の前記側面部分に配置され、互いに異なる機能が割り当てられた回転可能な２つのノブをさらに備え、
前記スイッチは、一方の前記ボタンの前記ＰＴＴ機能を有効にすることに連動して前記ノブに割り当てられた機能を互いに入れ換えることを特徴とする請求項１又は２に記載の携帯型無線機。
【請求項４】
前記ノブ間の前記側面部分に配置されたアンテナをさらに備え、
前記ノブが前記アンテナを中心として対称に配置されていることを特徴とする請求項３に記載の携帯型無線機。
【発明の詳細な説明】
【技術分野】
【０００１】
本発明は、ＰＴＴ（Ｐｕｓｈ  ｔｏ  Ｔａｌｋ）ボタンを備える携帯型無線機に関する。
【背景技術】
【０００２】
同一変調及び同一周波数で送信と受信を切り替える方式（シンプレックス）の携帯型無線機は、ユーザが手に持ち、送信時に親指で押し続け、親指を離すと受信又は受信待機となるＰＴＴ機能のボタン（ＰＴＴボタン）を側面部分に備えている（例えば、非特許文献１を参照。）。
【先行技術文献】
【非特許文献】
【０００３】
【非特許文献１】「通信用語の基礎知識」ｈｔｔｐ：／／ｗｗｗ．ｗｄｉｃ．ｏｒｇ／ｗ／ＷＤＩＣ／ＰＴＴ、２０１０年６月７日検索。
【発明の概要】
【発明が解決しようとする課題】
【０００４】
通常、携帯型無線機は右利きの人が使用することを想定して設計されている。すなわち、左手に携帯型無線機を持ち、左手の親指でＰＴＴボタンを操作できるように携帯型無線機本体の左側にＰＴＴボタンを１つ配置している。しかし、このような配置の携帯型無線機は、左利きの人が右手に携帯型無線機を持つ場合に操作性が不便という課題があった。
【０００５】
そこで、前記課題を解決するために、本発明は、どちらの手に持っても操作性に差異がでない携帯型無線機を提供することを目的とする。
【課題を解決するための手段】
【０００６】
上記目的を達成するために、本発明に係る携帯型無線機は、ＰＴＴボタンを左右対称に配置することとした。
【０００７】
具体的には、本発明に係る携帯型無線機は、スピーカ又はマイクロフォンが配置された表部分及び前記表部分の外周に接する側面部分を持つ筐体と、前記筐体の前記表部分を正面としたときに左右対称になるように前記側面部分に配置され、オン状態で無線信号を送信し、オフ状態で無線信号を受信又は受信待機するＰＴＴ機能を有するボタンと、いずれか一方の前記ボタンの前記ＰＴＴ機能を選択的に有効にするスイッチと、を備える。
【０００８】
本発明に係る携帯型無線機は、２つのボタンを左右対称に側面部分に配置している。そして、使用者は、どちら側のボタンにＰＴＴ機能を持たせるかをスイッチで設定できる。このため、使用者は、携帯型無線機を右手で持っても、左手で持っても、親指でＰＴＴ機能を有するボタンを押すことができ、操作性に差異を生じない。
【０００９】
従って、本発明は、どちらの手に持っても操作性に差異がでない携帯型無線機を提供することができる。
【００１０】
本発明に係る携帯型無線機において、前記スイッチで前記ＰＴＴ機能が無効となった前記ボタンは、他の機能が割り当てられることを特徴とする。
【００１１】
スイッチで一方のボタンにＰＴＴ機能を与えた場合、他方のボタンが空くことになる。ここに他の機能を割り当てることで使用者のカスタマイズ性が向上する。
【００１２】
本発明に係る携帯型無線機は、前記ボタン間の前記側面部分に配置され、互いに異なる機能が割り当てられた回転可能な２つのノブをさらに備え、前記スイッチは、一方の前記ボタンの前記ＰＴＴ機能を有効にすることに連動して前記ノブに割り当てられた機能を互いに入れ換えることを特徴とする。
【００１３】
携帯型無線機の本体上部にノブが２つある場合、スイッチの設定に連動してそれぞれに割り当てられている機能を入れ換えることで、さらに、どちらの手に持っても操作性に差異がでない携帯型無線機を提供することができる。
【００１４】
本発明に係る携帯型無線機は、前記ノブ間の前記側面部分に配置されたアンテナをさらに備え、前記ノブが前記アンテナを中心として対称に配置されていることを特徴とする。
【００１５】
アンテナを２つのノブの間に配置することで、ノブ配置も左右対称となり、どちらの手に持っても操作性にさらに差異がでない携帯型無線機を提供することができる。
【発明の効果】
【００１６】
本発明は、どちらの手に持っても操作性に差異がでない携帯型無線機を提供することができる。
【図面の簡単な説明】
【００１７】
【図１】本発明に係る携帯型無線機を説明する図である。（１）は平面図、（２）は背面図、（３）は左側面図、（４）は正面図、（５）は右側面図、（６）は底面図である。
【図２】本発明に係る携帯型無線機を説明する図である。（１）は平面図、（２）は背面図、（３）は左側面図、（４）は正面図、（５）は右側面図、（６）は底面図である。
【図３】本発明に係る携帯型無線機を説明する図である。（１）は平面図、（２）は背面図、（３）は左側面図、（４）は正面図、（５）は右側面図、（６）は底面図である。
【発明を実施するための形態】
【００１８】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１９】
図１は、本実施形態の携帯型無線機３０１を説明する図である。（１）は平面図、（２）は背面図、（３）は左側面図、（４）は正面図、（５）は右側面図、（６）は底面図である。携帯型無線機３０１は、スピーカ１１やマイクロフォン１２が配置された表部分１６及び表部分１６の外周に接する側面部分１７を持つ筐体１０と、筐体１０の表部分１６を正面としたときに左右対称になるように側面部分（１７Ｂ、１７Ｄ）に配置され、オン状態で無線信号を送信し、オフ状態で無線信号を受信又は受信待機するＰＴＴ機能を有するボタン１３と、いずれか一方のボタン１３の前記ＰＴＴ機能を選択的に有効にするスイッチ（不図示）と、を備える。
【００２０】
図１では、筐体１０が略直方体であるが、手に握り易い形状とすることができる。以下の説明は、図１の携帯型無線機３０１で説明する。スピーカやマイクロフォンが配置された面を表部分１６としている。表部分１６を直方体の底面とした場合、側面部分１７は４つ存在する（側面部分１７Ａ、１７Ｂ、１７Ｃ、１７Ｄ）。そのうち表部分１６の長辺に接する側面部分（１７Ｂ、１７Ｄ）にボタン１３が配置される。ボタン１３は、表部分１６の長辺方向の中心軸Ｌに対称となるように配置される。また、側面部分１７Ａにはアンテナ１５とボリュームスイッチや周波数選択の機能を持つノブ１４が配置される。
【００２１】
スイッチは、２つのボタン１３のうち一方にＰＴＴ機能を与える。例えば、このスイッチは筐体１０の表面に配置したスライドスイッチである。また、スイッチは、筐体１０内に内蔵された電子回路が有するソフトウェア上のスイッチとすることもできる。さらに、この電子回路と外部のコンピュータとを接続し、コンピュータからスイッチの切り替えをしてもよい。
【００２２】
ボタン１３を左右対称に配置し、スイッチでＰＴＴ機能を自由に割り当てることで、左利きの人も右利きの人同様の操作ができるとともに、使用者のカスタマイズ性が向上して操作性が向上する。
【００２３】
前記スイッチでＰＴＴ機能が無効となったボタン１３に、他の機能を割り当ててもよい。携帯型無線機は操作つまみ等を配置するスペースが少ない。このため、ＰＴＴ機能を無効にしたボタン１３に、他の機能（例えば、シフトキーやファンクションキー）を割り当てることで省スペースを維持できる。
【００２４】
図２は、本実施形態の携帯型無線機３０２を説明する図である。携帯型無線機３０２は、側面部分１７Ａにノブ（１４Ａ，１４Ｂ）を備える点が図１の携帯型無線機３０１と異なる。携帯型無線機３０２は、側面部分１７Ａに配置され、互いに異なる機能が割り当てられた回転可能な２つのノブ（１４Ａ，１４Ｂ）をさらに備え、前記スイッチは、一方のボタン１３のＰＴＴ機能を有効にすることに連動してノブ（１４Ａ，１４Ｂ）に割り当てられた機能を互いに入れ換える。
【００２５】
例えば、ノブ１４Ａがボリューム機能を持ち、ノブ１４Ｂが周波数選択機能を持つとする。使用者は、スイッチを切り替えることで、ノブ１４Ａに周波数選択機能を持たせ、ノブ１４Ｂにボリューム機能を持たせることができる。
【００２６】
このように、スイッチでノブの機能も入れ換えることで、左利きの人も右利きの人同様の操作ができるとともに、使用者の操作性がさらに向上する。
【００２７】
図３は、本実施形態の携帯型無線機３０３を説明する図である。携帯型無線機３０３は、アンテナ１５の軸を中心軸Ｌに合わせ、ノブ（１４Ａ、１４Ｂ）を中心軸Ｌに左右対称に配置した点が図２の携帯型無線機３０２と異なる。携帯型無線機３０３は、ノブ（１４Ａ、１４Ｂ）間の側面部分１７Ａに配置されたアンテナ１５をさらに備え、ノブ（１４Ａ、１４Ｂ）がアンテナ１５を中心として対称に配置されている。
【００２８】
図３のように、アンテナ１５をノブ（１４Ａ、１４Ｂ）の間に配置することで、左利きの人も右利きの人も完全に同じ操作ができる。
【符号の説明】
【００２９】
１０：筐体
１１：スピーカ
１２：マイクロフォン
１３：ボタン
１４、１４Ａ、１４Ｂ：ノブ
１５：アンテナ
１６：表部分
１７、１７Ａ、１７Ｂ、１７Ｃ、１７Ｄ：側面部分
３０１、３０２、３０３：携帯型無線機
【図１】
2012028958.tif 000003
【図２】
2012028958.tif 000004
【図３】
2012028958.tif 000005